(57)【要約】【課題】  床施工前或いは床施工中において、天板部材またはベース部材を手で持って回転操作することにより軽い力で高さ調節を行うことができ、また床施工後においても軽い力で高さ調節が行えるフロアポストを提供すること。【解決手段】  床スラブＳ上に載置される底面部11を有し、かつ、雌ネジ部または雄ネジ部を備えたベース部材１と；このベース部材１の雌ネジ部または雄ネジ部に昇降自在に螺着される雄ネジ部または雌ネジ部を有し、かつ、上側の端面に凹型または凸型の回転操作部23aを備えたロッド部材２と；前記床材Ｆを受ける上面部31を有し、かつ、前記ロッド部材２の上部に、独立して回転自在に取り付けられる天板部材３とを含んでフロアポストを構成した。【選択図】  図１
2018048457.tif 000002
【特許請求の範囲】
【請求項１】
床スラブ(Ｓ)上に所定大きさの隙間を空けて床材(Ｆ)を設置する際に用いられるフロアポストであって、
前記床スラブ(Ｓ)上に載置される底面部(11)を有し、かつ、雌ネジ部または雄ネジ部を備えたベース部材(１)と；このベース部材(１)の雌ネジ部または雄ネジ部に昇降自在に螺着される雄ネジ部または雌ネジ部を有し、かつ、上側の端面に凹型または凸型の回転操作部(23a)を備えたロッド部材(２)と；前記床材(Ｆ)を受ける上面部(31)を有し、かつ、前記ロッド部材(２)の上部に、独立して回転自在に取り付けられる天板部材(３)とを含んで構成される一方、
前記ロッド部材(２)と天板部材(３)の連結部位に、これらの個別の回転を制止せしめるロック機構が付設されて、当該ロック機構により、天板部材(３)とロッド部材(２)とが一体に動く回転操作と、ロッド部材(２)単体の回転操作とが選択可能となっていることを特徴とするフロアポスト。
【請求項２】
ロック機構として、ロッド部材(２)の上部に、断面形状が非円形状のオス型またはメス型の第一嵌合部(23)が設けられると共に、天板部材(３)の中央部に、断面形状が非円形状のメス型またはオス型の第二嵌合部(32)および貫通孔(33)が設けられ、更にこれらロッド部材(２)や天板部材(３)とは別に、前記第一嵌合部(23)と対になる断面形状が非円形状の第三嵌合部(41)、および前記第二嵌合部(32)と対になる断面形状が非円形状の第四嵌合部(42)を備えたロック部材(４)が付設されて、
当該ロック部材(４)が、ロッド部材(２)の第一嵌合部(23)に第三嵌合部(41)を、また天板部材(３)の第二嵌合部(32)に第四嵌合部(42)を嵌め込んで、ロッド部材(２)と天板部材(３)の個別の回転を制止した状態で天板部材(３)の貫通孔(33)内に装着可能となっていることを特徴とする請求項１記載のフロアポスト。
【請求項３】
ロッド部材(２)の上部に、オス型の第一嵌合部(23)が突設されると共に、天板部材(３)の貫通孔(33)内に、メス型の第二嵌合部(32)が設けられ、更にロック部材(４)の下側にメス型の第三嵌合部(41)が、またロック部材(４)の外周面にオス型の第四嵌合部(42)がそれぞれ設けられていることを特徴とする請求項２記載のフロアポスト。
【請求項４】
ロッド部材(２)の第一嵌合部(23)、天板部材(３)の第二嵌合部(32)、及びロック部材(４)の第三嵌合部(41)と第四嵌合部(42)の断面形状が、複数の突起部が並んだ歯車型の形状となっていることを特徴とする請求項２または３に記載のフロアポスト。
【請求項５】
ロッド部材(２)の上部にフランジ状のツメ部(22a)または環状の溝部が設けられると共に、天板部材(３)の貫通孔(33)の内周面に、凸型または凹型の抜止め部(33a)が設けられて、前記ロッド部材(２)が天板部材(３)の貫通孔(33)に対し、ツメ部(22a)または溝部が抜止め部(33a)に引っ掛かった状態で回転自在に装着可能となっていることを特徴とする請求項１〜４の何れか一つに記載のフロアポスト。
【請求項６】
ロッド部材(２)にツメ部(22a)または環状の溝部を有する筒状の係止凸部(22)が形成されて、この筒状の係止凸部(22)とその内側に形成されたオス型の第一嵌合部(23)との間にロック部材(４)が挿入されることを特徴とする請求項３〜５の何れか一つに記載のフロアポスト。
【請求項７】
少なくともロッド部材(２)と天板部材(３)の何れか一方に指掛け部、または棒体挿入凹部が設けられていることを特徴とする請求項１〜６の何れか一つに記載のフロアポスト。
【請求項８】
ロック機構として、ロッド部材(２)の上部に、雄ネジ型または雌ネジ型の第一ネジ部(26)が設けられると共に、天板部材(３)の中央部に貫通孔(33)が設けられ、更にこれらロッド部材(２)や天板部材(３)とは別に、前記第一ネジ部(26)と対になる第二ネジ部(43)、およびネジ頭部(44)を備えたロック部材(４)が付設されて、
当該ロック部材(４)の第二ネジ部(43)を、天板部材(３)の貫通孔(33)を通してロッド部材(２)の第一ネジ部(26)に螺着することにより、前記ロッド部材(２)と天板部材(３)とを個別の回転を制止した状態で締結可能となっていることを特徴とする請求項１記載のフロアポスト。
【請求項９】
床スラブ(Ｓ)上に所定大きさの隙間を空けて床材(Ｆ)を設置する際に用いられるフロアポストであって、
前記床材(Ｆ)を受ける上面部(31)を有し、かつ、雌ネジ部または雄ネジ部を備えた天板部材(３)と；この天板部材(３)の雌ネジ部または雄ネジ部に昇降自在に螺着される雄ネジ部または雌ネジ部を有し、かつ、上側の端面に凹型または凸型の回転操作部(23a)を備えたロッド部材(２)と；前記床スラブ(Ｓ)上に載置される底面部(11)を有し、かつ、前記ロッド部材(２)の下部に、独立して回転自在に取り付けられるベース部材(１)とを含んで構成される一方、
前記ロッド部材(２)とベース部材(１)の連結部位に、これらの個別の回転を制止せしめるロック機構が付設されて、当該ロック機構により、ベース部材(１)とロッド部材(２)とが一体に動く回転操作と、ロッド部材(２)単体の回転操作とが選択可能となっていることを特徴とするフロアポスト。
【請求項１０】
ロック機構として、ロッド部材(２)の下部に、切欠凹部(25a)を備えたフランジ部(25)が設けられると共に、ベース部材(１)の中央部には、側面側に前記ロッド部材(２)の下部を装着するための差込口(13a)を備えた軸受け部(13)、並びにこの軸受け部(13)の差込口(13a)近傍の位置に嵌込み穴(14)がそれぞれ設けられており、更に前記ベース部材(１)と一体に、または別体として、前記嵌込み穴(14)に突き立てて装着可能な棒状のストッパー部材(５)が付設されて、
前記ストッパー部材(５)を、前記軸受け部(13)に装着されたロッド部材(２)の切欠凹部(25a)に挿入して突き立てることにより、ロッド部材(２)とベース部材(３)の個別の回転を制止した状態でストッパー部材(５)が嵌込み穴(14)に装着可能となっていることを特徴とする請求項９記載のフロアポスト。
【請求項１１】
ストッパー部材(５)とベース部材(１)が線状部(15)を介して一体に連結されていることを特徴とする請求項１０記載のフロアポスト。
【請求項１２】
少なくともロッド部材(２)とベース部材(１)の何れか一方に指掛け部が設けられていることを特徴とする請求項９〜１１の何れか一つに記載のフロアポスト。
【発明の詳細な説明】
【技術分野】
【０００１】
本発明は、フロアポストの改良、詳しくは、床施工前或いは床施工中において天板部材またはベース部材を手で持って回転操作することにより軽い力で高さ調節を行うことができ、また床施工後においても、ロッド部材上端の回転工具穴を利用して軽い力で高さ調節を行えるフロアポストに関するものである。
【背景技術】
【０００２】
近年、建築工事において床を施工する際には、床スラブ上に複数のフロアポスト(床束)を所定間隔で設置して、これらのフロアポスト上に床材を敷設するのが一般的である。またこの際使用されるフロアポストに関しては、床スラブと床材間に形成されるスペースの大きさを調整できるように、高さ調節が行える構造を採用する必要がある。
【０００３】
そこで、本件出願人は、以前に天板部材、ロッド部材およびベース部材を主要な構成部材とし、かつ、ロッド部材をベース部材(或いは天板部材)に対してアジャストボルト式に装着して、正逆の回転操作により高さ調節が行えるようにしたプラスチック製のフロアポストを開発している(例えば、特許文献１参照)。
【０００４】
しかしながら、上記従来のフロアポストに関しては、床施工後に回転工具でロッド部材を上から回転操作できるように、ロッド部材を天板部材に対して回転自在に装着していたため、フロアポストの天板部材を手で持って回転操作しても、天板部材のみが空回りしてロッド部材を一緒に回転させることができなかった。
【０００５】
そのため、床施工前または床施工中にフロアポストの高さを調節する際に、作業者は細いロッド部材を握って力を込めて回転操作する必要があった。一方、ロッド部材を天板部材に螺着する構造のフロアポストに関しても、床施工後の回転操作のためにロッド部材をベース部材に対して回転自在に装着する必要があったため、同様の問題があった。
【先行技術文献】
【特許文献】
【０００６】
【特許文献１】特開２００７−１０７３３０号公報
【発明の概要】
【発明が解決しようとする課題】
【０００７】
本発明は、上記の如き問題に鑑みて為されたものであり、その目的とするところは、床施工前或いは床施工中において、天板部材またはベース部材を手で持って回転操作することにより軽い力で高さ調節を行うことができ、また床施工後においても、ロッド部材上端の回転工具穴を利用してロッド部材単体を回転操作することにより軽い力で高さ調節が行えるフロアポストを提供することにある。
【課題を解決するための手段】
【０００８】
本発明者が上記課題を解決するために採用した手段を添付図面を参照して説明すれば次のとおりである。
【０００９】
即ち、本発明は、床スラブＳ上に所定大きさの隙間を空けて床材Ｆを設置する際に用いられるフロアポストＰにおいて、床スラブＳ上に載置される底面部11を有し、かつ、雌ネジ部または雄ネジ部を備えたベース部材１と；このベース部材１の雌ネジ部または雄ネジ部に昇降自在に螺着される雄ネジ部または雌ネジ部を有し、かつ、上側の端面に凹型または凸型の回転操作部23aを備えたロッド部材２と；前記床材Ｆを受ける上面部31を有し、かつ、前記ロッド部材２の上部に、独立して回転自在に取り付けられる天板部材３とを含んで構成すると共に、前記ロッド部材２と天板部材３の連結部位に、これらの個別の回転を制止せしめるロック機構を付設して、当該ロック機構により、天板部材３とロッド部材２とが一体に動く回転操作と、ロッド部材２単体の回転操作とを選択可能にした点に特徴がある(図１〜図７参照)。
【００１０】
また上記ロッド部材２と天板部材３の連結部位に設けられるロック機構に関しては、ロッド部材２の上部に、断面形状が非円形状のオス型またはメス型の第一嵌合部23を設けると共に、天板部材３の中央部に、断面形状が非円形状のメス型またはオス型の第二嵌合部32および貫通孔33を設け、更にこれらロッド部材２や天板部材３とは別に、前記第一嵌合部23と対になる断面形状が非円形状の第三嵌合部41、および前記第二嵌合部32と対になる断面形状が非円形状の第四嵌合部42を備えたロック部材４を付設して構成すれば(図２参照)、前記ロッド部材２の第一嵌合部23に第三嵌合部41を、また前記天板部材３の第二嵌合部32に第四嵌合部42を嵌め込んで、ロッド部材２と天板部材３の個別の回転を制止した状態で、天板部材３の貫通孔33内にロック部材４を脱着自在に装着することが可能となる(図３、図８〜図１０参照)。
【００１１】
また上記ロック機構に関しては、ロッド部材２の上部にオス型の第一嵌合部23を突設すると共に、天板部材３の貫通孔33内にメス型の第二嵌合部32を設け、更にロック部材４の下側にメス型の第三嵌合部41を、またロック部材４の外周面にオス型の第四嵌合部42をそれぞれ設けることによって、よりシンプルに構成することができる(図２参照)。
【００１２】
また上記ロッド部材２の第一嵌合部23、天板部材３の第二嵌合部32、及びロック部材４の第三嵌合部41と第四嵌合部42の断面形状については、回転時のナメリを防止するために複数の突起部が並んだ歯車型の形状とするのが好ましい(図２参照)。
【００１３】
また本発明では、上記ロッド部材２の上部にフランジ状のツメ部22aまたは環状の溝部を設けると共に、天板部材３の貫通孔33の内周面に、凸型または凹型の抜止め部33aを設けて、前記ロッド部材２を天板部材３の貫通孔33に対し、ツメ部22aまたは溝部が抜止め部33aに引っ掛かった状態で回転自在に装着することにより、ロッド部材２の上部に、天板部材３を独立して回転自在に取り付けることができる(図２、図３参照)。
【００１４】
また上記ツメ部22aを設ける場合には、ロッド部材２にツメ部22aを有する筒状の係止凸部22を形成して、この筒状の係止凸部22とその内側に形成された第一嵌合部23との間にロック部材４を挿入可能な隙間を形成することで、ロック部材４の第三嵌合部41とロッド部材２の第一嵌合部23の接触面積を増やすことができる(図２、図３参照)。
【００１５】
また本発明では、上記構成から成るフロアポストＰにおいて、側方からの回転操作が容易に行えるように、上記ロッド部材２と天板部材３の何れか一方に指掛け部、または棒体挿入凹部を設けることもできる(図２、図６参照)。
【００１６】
また上記ロック機構に関しては、ロッド部材２の上部に、雌ネジ型または雄ネジ型の第一ネジ部26を設けると共に、天板部材３の中央部に貫通孔33を設け、更にこれらロッド部材２や天板部材３とは別に、前記第一ネジ部26と対になる第二ネジ部43、およびネジ頭部44を備えたロック部材４を付設して構成すれば、当該ロック部材４の第二ネジ部43を、天板部材３の貫通孔33を通してロッド部材２の第一ネジ部26に螺着することによって、前記ロッド部材２と天板部材３とを個別の回転を制止した状態で締結することが可能となる(図１１参照)。
【００１７】
一方、本発明では、上記フロアポストＰの構成に替えて、床材Ｆを受ける上面部31を有し、かつ、雌ネジ部または雄ネジ部を備えた天板部材３と；この天板部材３の雌ネジ部または雄ネジ部に昇降自在に螺着される雄ネジ部または雌ネジ部を有し、かつ、上側の端面に凹型または凸型の回転操作部23aを備えたロッド部材２と；前記床スラブＳ上に載置される底面部11を有し、かつ、前記ロッド部材２の下部に、独立して回転自在に取り付けられるベース部材１とを含む構成を採用することもできる(図１２〜図１４参照)。そして、その場合には、前記ロッド部材２とベース部材１の連結部位に、これらの個別の回転を制止せしめるロック機構を付設して、当該ロック機構により、ベース部材１とロッド部材２とが一体に動く回転操作と、ロッド部材２単体の回転操作とを選択できるようにすることができる。
【００１８】
また上記ロッド部材２とベース部材１の連結部位に設けられるロック機構に関しては、ロッド部材２の下部に、切欠凹部25aを備えたフランジ部25を設けると共に、ベース部材１の中央部に、側面側に前記ロッド部材２の下部を装着するための差込口13aを備えた軸受け部13、並びにこの軸受け部13の差込口13a近傍の位置に嵌込み穴14をそれぞれ設け、更に前記ベース部材１と一体に、または別体として、前記嵌込み穴14に突き立てて装着可能な棒状のストッパー部材５を付設して構成できる(図１２参照)そして、前記ストッパー部材５を、前記軸受け部13に装着されたロッド部材２の切欠凹部25aに挿入して突き立てた状態で、ストッパー部材５を嵌込み穴14に装着することにより、ロッド部材２とベース部材３の個別の回転を制止することが可能となる(図１４参照)。
【００１９】
また上記ストッパー部材５に関しては、ベース部材１に対して線状部15を介して一体に連結することで、ストッパー部材５の紛失を防止することができる(図１３参照)。
【００２０】
また本発明では、上記構成から成るフロアポストＰにおいて、側方からの回転操作が容易に行えるように、上記ロッド部材２とベース部材１の何れか一方に指掛け部、または棒体挿入凹部を設けることもできる(図１３参照)。
【発明の効果】
【００２１】
本発明では、フロアポストにおいて、回転自在に装着されたロッド部材と天板部材(或いはロッド部材とベース部材)の連結部分にロック機構を設けて構成したことにより、ロック機構でロッド部材と天板部材の個別の回転を制止することが可能となるため、床施工前において、ロッド部材を握って操作するよりも軽い力で天板部材(或いはベース部材)を手で持ってロッド部材と共に回転操作することができる。
【００２２】
また床施工中においても、ロック機構でロッド部材と天板部材の個別の回転を制止した状態で、側方から手を入れて天板部材(或いはベース部材)を回転操作してフロアポストの高さ調節を行うことができる。なおロッド部材に指掛け部等を設ける場合には、ロック機構を外した状態で、ロッド部材単体を側方から回転操作することもできる。
【００２３】
一方、床施工後においては、ロック機構を外した状態で、回転工具(ドライバーやレンチ等)をロッド部材上端の回転操作部に装着して回せば、ロッド部材単体を回転操作することができるため、天板部材(或いはベース部材)と一緒に回転させるよりも軽い力でロッド部材を回転させることができる。
【００２４】
したがって、本発明により、天板部材とロッド部材とが一体に動く回転操作と、ロッド部材単体の回転操作を選択可能にして、床施工前、床施工中、及び床施工後の高さ調節を軽い力で行えるフロアポストを提供できることから、本発明の実用的利用価値は頗る高い。
【図面の簡単な説明】
【００２５】
【図１】本発明の実施例１におけるフロアポストを表わす上側から見た全体斜視図と下側から見た全体斜視図である。
【図２】本発明の実施例１におけるフロアポストを表わす上側から見た分解斜視図と下側から見た全体斜視図である。
【図３】本発明の実施例１におけるフロアポストのロック部材を装着した状態の上面図と、その設置状態を表わす説明断面図である。
【図４】本発明の実施例１におけるフロアポストのロック部材を外した状態の上面図と、その設置状態を表わす説明断面図である。
【図５】本発明の実施例２におけるフロアポストを表わす全体正面図である。
【図６】本発明の実施例２におけるフロアポストを表わす分解斜視図である。
【図７】本発明の実施例２におけるフロアポストのロック部材を装着した状態の断面図とフロアポストのロック部材を装着した状態の断面図である。
【図８】本発明の実施例３におけるフロアポストを表わす断面図である。
【図９】本発明の実施例４におけるフロアポストを表わす断面図である。
【図１０】本発明の実施例５におけるフロアポストを表わす断面図である。
【図１１】本発明の実施例６におけるフロアポストを表わす分解斜視図である。
【図１２】本発明の実施例７におけるフロアポストを表わす正面図と、その設置状態を表わす説明断面図である。
【図１３】本発明の実施例７におけるロッド部材とベース部材を表わす斜視図である。
【図１４】本発明の実施例７におけるフロアポストの使用状態を表わす全体正面図である。
【発明を実施するための形態】
【００２６】
『実施例１』
本発明の実施例１について、図１から図４に基いて以下に説明する。なお同図において、符号１で指示するものは、ベース部材であり、また符号２で指示するものは、ロッド部材である。また符号３で指示するものは、天板部材であり、符号４で指示するものは、ロック部材である。
【００２７】
「フロアポストの構成と使用方法」
[1-1]基本構成について
この実施例１では、図１(a)(b)に示すように、フロアポストＰの主要部位を、底面部11を有するベース部材１と、このベース部材１に昇降自在に螺着されるロッド部材２と、このロッド部材２の上部に独立して回転自在に取り付けられる天板部材３とから構成し、更にロッド部材２と天板部材３の連結部位には、これらの個別の回転を制止せしめるロック機構を付設している。
【００２８】
[1-2]ロック機構について
また上記ロック機構に関しては、本実施例では、図２(a)(b)に示すように、ロッド部材２の上部に、断面形状が非円形状のオス型の第一嵌合部23を設けると共に、天板部材３の中央部に、断面形状が非円形状のメス型の第二嵌合部32および貫通孔33を設け、更にこれらロッド部材２や天板部材３とは別に、第一嵌合部23と対になる断面形状が非円形状の第三嵌合部41、および前記第二嵌合部32と対になる断面形状が非円形状の第四嵌合部42を備えたロック部材４を付設して構成している。
【００２９】
より具体的には、ロッド部材２の上部にオス型の第一嵌合部23を突設すると共に、天板部材３の貫通孔33内にメス型の第二嵌合部32を設け、更にロック部材４の下側に、第一嵌合部23と対になるメス型の第三嵌合部41を、またロック部材４の外周面に第二嵌合部32と対になるオス型の第四嵌合部42を設けて構成している。
【００３０】
これにより、上記ロッド部材２の第一嵌合部23に第三嵌合部41を、また上記天板部材３の第二嵌合部32に第四嵌合部42を嵌め込んで、天板部材３の貫通孔33内にロック部材４を装着すれば、ロッド部材２と天板部材３の個別の回転を制止することができる。そして、上記ロック部材４の脱着により天板部材３とロッド部材２とが一体に動く回転操作と、ロッド部材２単体の回転操作とを選択することが可能となる。
【００３１】
[1-3]ベース部材について
次に上記フロアポストＰを構成する各構成要素について説明する。まず上記ベース部材１に関しては、図２(a)(b)に示すように、下側に底面部11を備え、かつ、上側にロッド部材２を螺着するための雌ネジ部12を備えた形状としている。なお底面部11の形状に関しては、本実施例では円形状としているが角形等の他の形状に変更することもできる。また雌ネジ部21に関しても、ロッド部材２が雌ネジ型の場合にはそれ合わせて雄ネジ部に変更できる(図示せず)。
【００３２】
[1-4]ロッド部材について
また上記ロッド部材２に関しては、本実施例では、図２(a)(b)に示すように、外周面に雄ネジ部21を備えた形状として、この雄ネジ部21をベース部材１の雌ネジ部12に昇降自在に螺着できるようにしている。なおこの雄ネジ部21に関しては、ベース部材１側を雄ネジ部とする場合には、それに合わせて雌ネジ部に変更することもできる(図示せず)。またロッド部材２の上側の端面には、ドライバーや六角レンチ等の回転工具を差し込むための凹型の回転操作部23aを設けている。なお回転操作部23aは、レンチ等を装着できるように凸型に構成することもできる。
【００３３】
[1-5]指掛け部について
また本実施例では、上記ロッド部材２の上側の外周面に突起状の指掛け部24を設けて、この指掛け部24を指で押すまたは引くことによってロッド部材２の回転操作が行えるようにしている。なおこの指掛け部24については、ロッド部材２でなく天板部材３に設けることもできる（図示せず）。
【００３４】
[1-6]天板部材について
また上記天板部材３に関しては、本実施例では、図２(a)(b)に示すように、平らな上面部31を備え、かつ、中央にロッド部材２とロック部材４を取り付けるための貫通孔33を備えた形状としている。なお上面部31の形状に関しては、本実施例では八角形状としているが、円形や四角形等の他の形状に変更することもできる。
【００３５】
[1-7]ロッド部材と天板部材の連結構造について
次に上記ロッド部材２と天板部材３の連結構造について説明すると、本実施例では、図２(a)(b)に示すように、ロッド部材２の上部にフランジ状のツメ部22aを設けると共に、天板部材３の貫通孔33の内周面に凸型の抜止め部33aを設けて構成している。これにより、ツメ部22aが抜止め部33aの上側に引っ掛かった状態となるようにロッド部材２を天板部材３の貫通孔33に圧入するだけで、ロッド部材２に対し天板部材３を回転自在に装着することができる。なお同様の機能を得るために、ツメ部22aの代わりに環状の溝部を設けたり、また凸型の抜止め部33aの代わりに凹型の抜止め部33aを設けたりすることもできる。
【００３６】
[1-8]係止凸部の形状について
また上記ロッド部材２の係止凸部22に関しては、図２(a)に示すように筒状に形成して、この筒状の係止凸部22とその内側に形成された第一嵌合部23との間にロック部材４を挿入可能な隙間を形成することで、ロック部材４の第三嵌合部41とロッド部材２の第一嵌合部23の接触面積を増やすことができる。
【００３７】
[1-9]ロック機構の嵌合部の形状について
次に上記ロック機構の嵌合部の形状について説明すると、本実施例では、図２(a)(b)に示すように、ロッド部材２の第一嵌合部23、天板部材３の第二嵌合部32、ロック部材４の第三嵌合部41と第四嵌合部42の断面形状を、複数の突起部が並んだ歯車型の形状としている。これにより回転操作した際の嵌合部のナメリを防止することができる。なお各嵌合部の断面形状については、非円形状であれば多角形型や楕円型、十字型等の他の形状を採用することもできる。
【００３８】
[1-10]各構成要素の材質について
また上記フロアポストＰを構成するベース部材１、ロッド部材２、天板部材およびロック部材４の材質に関しては、本実施例ではポリプロピレンを採用しているが、所定の強度を有し、かつ、射出成形が可能な熱可塑性樹脂であればポリエチレンやＰＥＴ樹脂、塩化ビニル等を採用することもできる。またプラスチック材料の代わりに鉄系材料やアルミ系材料等の金属材料を使用することもできる。
【００３９】
[1-11]使用方法について
次に上記フロアポストＰの使用方法について説明する。まず図３(a)(b)に示すように床スラブＳ上にベース部材１の底面部11を接地した状態で、ロック部材４が天板部材３に装着されたフロアポストＰを載置する。この際、ベース部材１に対してロッド部材２を昇降させることによってフロアポストＰの高さを調節する必要があるが、ロック部材４によって天板部材３の個別の回転が制止された状態となっているため、天板部材３を手で回すだけでロッド部材２の昇降操作を簡単に行うことができる。
【００４０】
そして、上記フロアポストＰを床スラブＳ上の所定の位置に設置した後は、天板部材３の上面部31上に床材を敷設する(図示せず)。この床材の敷設作業の途中でフロアポストＰの高さを側方から調整したい場合には、ロッド部材２の指掛け部24を利用することにより(指掛け部24を指で押し込んだり手前に引っ張ったりする)、ロッド部材２の側方からの回転操作を容易に行うことができる。
【００４１】
また上記床材Ｆの敷設作業の完了後、フロアポストＰの高さを調節したい場合には、図４(a)(b)に示すように、床材Ｆに設けられた挿通孔Ｈを利用して、天板部材３からロック部材４を取り外した後、回転工具Ｔを挿通孔Ｈに挿入してロッド部材２の回転操作部23aに装着し、回転工具Ｔによってロッド部材２を回転させることにより、床材Ｆ上方からのフロアポストＰの高さ調節を行うことができる。そしてこれにより床スラブＳから所定大きさの隙間を空けて床材Ｆを設置することができる。
【００４２】
『実施例２』
[1-12]天板部材に棒体挿入凹部を設ける構造について
次に本発明の実施例２について、図５から図７に基いて以下に説明する。この実施例２では、図５及び図６に示すように、ロッド部材２に指掛け部を設ける代わりに天板部材３の側面に棒体挿入凹部34・34…を設けてフロアポストＰを構成している(その他の構造や材質については、実施例１と同様である)。なお本実施例では、多角形状(八角形状)の天板部材３の一辺に棒体挿入凹部34を一つずつ設けているが、棒体挿入凹部34の配置や数は天板部材３の形状に応じて適宜変更することができる。また棒体挿入凹部をロッド部材２に設けることもできる。
【００４３】
また上記の構成を採用したことにより、本実施例では、図７(a)に示すように、床材Ｆを敷設する途中でフロアポストＰの高さを調節したい場合に、ロック部材４を天板部材３に装着した状態で、棒体挿入凹部34にドライバー等の棒状工具Ｒを差し込んで天板部材３を回転させるだけで、ロッド部材２の昇降操作を側方から行うことができる。
【００４４】
また床材Ｆの敷設完了後は、図７(b)に示すように、天板部材３からロック部材４を取り外し、回転工具Ｔをロッド部材２の回転操作部23aに装着して、回転工具Ｔによってロッド部材２を回転させることにより昇降操作を行うことができる。しかも、本実施例では、ロッド部材２に指掛け部を設けない構造を採用したことにより、ロッド部材２の雄ネジ部21を長く形成することができるため、フロアポストＰの高さ調節幅(ロッド部材２の昇降幅)を実施例１よりも大きくすることもできる。
【００４５】
『実施例３』
[1-13]ロック部材の取り外しが簡単に行える構造について
次に本発明の実施例２について、図８に基いて以下に説明する。この実施例３では、ロッド部材２において、ツメ部22aを備えた係止凸部22とオス型の第一嵌合部23の間に隙間を形成しない形状を採用している。またロック部材４を摘まんで簡単に取り外せるように、装着後のロック部材４の上面よりも天板部材３の上面が低くなるように構成している(その他の構造や材質については、実施例１と同様である)。
【００４６】
『実施例４』
[1-14]メス型の第一嵌合部とオス型の第三嵌合部の組合せについて
次に本発明の実施例４について、図９に基いて以下に説明する。この実施例４では、ロッド部材２の上部に、断面形状が非円形状のメス型の第一嵌合部23を設けると共に、この第一嵌合部23と対になる断面形状が非円形状のオス型の第三嵌合部41をロック部材４の下面部に設けて構成している(その他の構造や材質については、実施例１と同様である)。
【００４７】
これにより、上記ロッド部材２の第一嵌合部23に第三嵌合部41を、また天板部材３の第二嵌合部32に第四嵌合部42を嵌め込んだ状態で、天板部材３の貫通孔33内にロック部材４を装着すれば、実施例１のフロアポストと同様、ロッド部材２と天板部材３の個別の回転を制止することができる。
【００４８】
『実施例５』
[1-15]オス型の第二嵌合部とメス型の第四嵌合部の組合せについて
次に本発明の実施例５について、図１０に基いて以下に説明する。この実施例５では、天板部材３の上部に、断面形状が非円形状のオス型(筒状の突起)の第二嵌合部32を設けると共に、この第二嵌合部32と対になる断面形状が非円形状のメス型(環状溝)の第四嵌合部42をロック部材４の下面部に設けて構成している(その他の構造や材質については、実施例１と同様である)。
【００４９】
これにより、上記天板部材３の第二嵌合部32に第四嵌合部42を、またロッド部材２の第一嵌合部23に第三嵌合部41を嵌め込んだ状態で、天板部材３にロック部材４を装着すれば、実施例１のフロアポストと同様、ロッド部材２と天板部材３の個別の回転を制止することができる。
【００５０】
『実施例６』
[1-16]ロッド部材にターンバックルを用いた構成について
次に本発明の実施例６について、図１１に基いて以下に説明する。この実施例６では、複数の棒状部材をボルト・ナットで直列に連結して構成されたターンバックル(中央のナット部材の両側にボルト部材が装着されたものや、中央のボルト部材の両側にナット部材が装着されたもの)を、フロアポストＰのロッド部材２として使用している。
【００５１】
[1-17]締結型のロック機構について
また本実施例では、ロッド部材２の上部に、雌ネジ型の第一ネジ部26を設けると共に、天板部材３の中央部に貫通孔33を設け、更にこれらロッド部材２や天板部材３とは別に、第一ネジ部26と対になる雄ネジ型の第二ネジ部43、およびネジ頭部44を備えたロック部材４を付設してロック機構を構成している(その他の構造や材質については、実施例１と同様である)。
【００５２】
そして上記のようにロック機構を構成したことにより、ロック部材４の第二ネジ部43を、天板部材３の貫通孔33を通してロッド部材２の第一ネジ部26に螺着して、ロック部材４のネジ頭部44で天板部材３の上面を押さえ付ければ、天板部材３とロッド部材２を締結することができるため、実施例１のフロアポストと同様、ロッド部材２と天板部材３の個別の回転を制止することが可能となる。また上記ロック機構に関しては、雄ネジ型の第一ネジ部26と雌ネジ型の第二ネジ部43とから構成することもできる。
【００５３】
『実施例７』
「フロアポストの構成と使用方法」
[2-1]基本構成について
次に本発明の実施例７について、図１２から図１４に基いて以下に説明する。この実施例７では、図１２(a)(b)に示すように、フロアポストＰの主要部位を、上面部31を有する天板部材３と、この天板部材３に昇降自在に螺着されるロッド部材２と、ロッド部材２の下部に独立して回転自在に取り付けられるベース部材１とから構成し、更にロッド部材２とベース部材１の連結部位に、これらの個別の回転を制止せしめるロック機構を付設して構成している。
【００５４】
[2-2]ロック機構について
また上記ロック機構に関しては、図１３(a)に示すように、ロッド部材２の下部に、切欠凹部25aを備えたフランジ部25を設けると共に、図１３(b)に示すように、ベース部材１の中央部に、側面側にロッド部材２の下部を装着するための差込口13aを備えた軸受け部13を設け、更にこの軸受け部13の差込口13a近傍の位置に嵌込み穴14を設けている。
【００５５】
加えて、上記嵌込み穴14に突き立てて装着可能な棒状のストッパー部材５を付設することにより、図１４に示すように、ストッパー部材５を、軸受け部13に装着されたロッド部材２の切欠凹部25aに挿入した状態で嵌込み穴14に装着することで、ロッド部材２とベース部材３の個別の回転を制止することができる。そして、このストッパー部材５の脱着により、ベース部材１とロッド部材２とが一体に動く回転操作と、ロッド部材２単体の回転操作とを選択することが可能となる。
【００５６】
[2-3]天板部材について
次に上記フロアポストＰを構成する各構成要素について説明する。まず上記天板部材３に関しては、図１２(a)(b)に示すように、上側に上面部31を備え、かつ、下側にロッド部材２を螺着するための雌ネジ部34を備えた形状としている。なお上面部11の形状に関しては、本実施例では円形状としているが角形等の他の形状に変更することもできる。また雌ネジ部34に関しても、ロッド部材２が雌ネジ型の場合にはそれ合わせて雄ネジ部に変更することができる(図示せず)。
【００５７】
[2-4]ロッド部材について
また上記ロッド部材２に関しては、本実施例では、図１３(a)に示すように、外周面に雄ネジ部21を備えた形状として、この雄ネジ部21を天板部材３の雌ネジ部34に昇降自在に螺着できるようにしている。なおこの雄ネジ部21に関しては、天板部材３側を雄ネジ部とする場合には、それに合わせて雌ネジ部に変更することもできる(図示せず)。またロッド部材２の上側の端面には、ドライバーや六角レンチ等の回転工具を装着するための凹型の回転操作部23aを設けている。なお回転操作部23aは、レンチ等を装着できるように凸型に構成することもできる。
【００５８】
[2-5]指掛け部について
また本実施例では、上記ロッド部材２の下側の外周面に突起状の指掛け部24を設けて、この指掛け部24を指で押すまたは引くことによってロッド部材２の回転操作が行えるようにしている。なおこの指掛け部24については、ロッド部材２でなくベース部材１に設けることもできる（図示せず）。また指掛け部の代わりにロッド部材２やベース部材１の側面部に棒体挿入凹部を設けて、ドライバー等の棒状工具で回転操作を行えるようにすることもできる(図示せず)。
【００５９】
[2-6]ベース部材について
また上記ベース部材１に関しては、本実施例では、図１２(a)(b)に示すように底面部31及び雌ネジ部35を備えると共に、図１３(b)に示すように、中央にロッド部材２を回転自在に装着するための軸受け部13、及びストッパー部材５を装着するための断面Ｔ型の嵌込み孔14を備えた形状としている。なお底面部31の形状に関しては、本実施例では円形状としているが、角形等の他の形状に変更することもできる。
【００６０】
[2-7]ロック機構のストッパー部材について
また上記ロック機構に用いられるストッパー部材５に関しては、本実施例では、図１３(b)に示すように、線状部15を介してベース部材１と一体に連結しているが、ストッパー部材５をベース部材１と別体で構成することもできる。またストッパー部材５の形状に関しても、本実施例では、先端部分がフランジ部25の切欠凹部25aに挿入される断面Ｔ型の形状としているが、角形等の断面形状を採用することもできる。
【００６１】
[2-8]各構成要素の材質について
また上記フロアポストＰを構成する天板部材３、ロッド部材２、ベース部材およびストッパー部材５の材質に関しては、本実施例ではポリプロピレンを採用しているが、所定の強度を有し、かつ、射出成形が可能な熱可塑性樹脂であればポリエチレンやＰＥＴ樹脂、塩化ビニル等を採用することもできる。
【００６２】
[2-9]使用方法について
次に上記フロアポストＰの使用方法について説明する。まず図１２(b)に示すように、床スラブＳ上にベース部材１の底面部11を接地した状態で、ストッパー部材５が嵌込み孔14に装着された図１４に示すフロアポストＰを載置する。この際、ロッド部材２を昇降させることによってフロアポストＰの高さを調節する必要があるが、ストッパー部材５によってベース部材１の個別の回転が制止された状態となっているため、ベース部材１を手で回転させるだけでロッド部材２の昇降操作を簡単に行うことができる。
【００６３】
そして、上記フロアポストＰを床スラブ上の所定の位置に設置した後は、天板部材３の上面部31上に床材Ｆを敷設する。この床材Ｆの敷設作業の途中でフロアポストＰの高さを側方から調整したい場合には、図１２(a)に示すようにストッパー部材５を嵌込み孔14から外した状態で、ロッド部材２の指掛け部24を利用することにより(指掛け部24を指で押し込んだり手前に引っ張ったりする)、ロッド部材２の側方からの回転操作を容易に行うことができる。
【００６４】
また上記床材Ｆの敷設作業の完了後、フロアポストＰの高さを調節したい場合には、床材Ｆに設けられた挿通孔Ｈを利用して、回転工具をロッド部材２の回転工具穴23aに差し込み、回転工具によってロッド部材２を回転させることにより、床材上方からのフロアポストＰの高さ調節を行うことができる。そしてこれにより床スラブＳから所定大きさの隙間を空けて床材Ｆを設置することができる。
【符号の説明】
【００６５】
１  ベース部材
11  底面部
12  雌ネジ部
13  軸受け部
13a  差込口
14  嵌込み穴
15  線状部
２  ロッド部材
21  雄ネジ部
22  係止凸部
22a  ツメ部
23  第一嵌合部
23a  回転操作部
24  指掛け部
25  フランジ部
25a  切欠凹部
26  第一ネジ部
３  天板部材
31  上面部
32  第二嵌合部
33  貫通孔
33a  抜止め部
34  棒体挿入凹部
35  雌ネジ部
４  ロック部材
41  第三嵌合部
42  第四嵌合部
43  第二ネジ部
44  ネジ頭部
５  ストッパー部材
Ｐ  フロアポスト
Ｓ  床スラブ
Ｆ  床材
Ｈ  挿通孔
Ｔ  回転工具
Ｒ  棒状工具
【図１】
2018048457.tif 000003
【図２】
2018048457.tif 000004
【図３】
2018048457.tif 000005
【図４】
2018048457.tif 000006
【図５】
2018048457.tif 000007
【図６】
2018048457.tif 000008
【図７】
2018048457.tif 000009
【図８】
2018048457.tif 000010
【図９】
2018048457.tif 000011
【図１０】
2018048457.tif 000012
【図１１】
2018048457.tif 000013
【図１２】
2018048457.tif 000014
【図１３】
2018048457.tif 000015
【図１４】
2018048457.tif 000016